(57)【要約】      （修正有）【課題】ベルベットファスナが剥離しにくく、耐久性に優れた玩具を提供する。【解決手段】第１，第２分割体１０，２０それぞれが、外郭体１１，２１と、外郭体１１，２１の開口部に嵌合一体化して被覆する接合体１５，２５とからなる。外郭体１１，２１の内周面から突出する支持部１２，２２の先端に受け部１３，２３を設けるとともに、受け部１３，２３の表面にベルベットファスナ１４，２４を設ける。そして、外郭体１１，２１に嵌合一体化した接合体１５，２５の貫通孔１６，２６の周辺縁部と受け部１３，２３とで前記ベルベットファスナ１４，２４の外周縁部を挟持する。【選択図】図１
0003105696.tif 000002
【実用新案登録請求の範囲】
【請求項１】
複数個の分割体の接合面にベルベットファスナをそれぞれ設けて分離可能に接合一体化する玩具であって、
前記分割体が、外郭体と、前記外郭体の開口部に嵌合一体化して被覆する接合体とからなり、前記外郭体の内周面から突出する支持部の先端に受け部を設けるとともに、前記受け部の表面に前記ベルベットファスナを設け、前記外郭体に嵌合一体化した接合体の貫通孔の周辺縁部と前記受け部とで前記ベルベットファスナの外周縁部を挟持したことを特徴とする玩具。
【請求項２】
第１，第２分割体の接合面にベルベットファスナをそれぞれ設けて分離可能に接合一体化する玩具であって、
前記第１，第２分割体それぞれが、外郭体と、前記外郭体の開口部に嵌合一体化して被覆する接合体とからなり、前記外郭体の内周面から突出する支持部の先端に受け部を設けるとともに、前記受け部の表面に前記ベルベットファスナを設け、前記外郭体に嵌合一体化した接合体の貫通孔の周辺縁部と前記受け部とで前記ベルベットファスナの外周縁部を挟持したことを特徴とする玩具。
【請求項３】
受け部を一体成形した支持部を、分割体を構成する外郭体の内周面に立設したことを特徴とする請求項１または２に記載の玩具。
【請求項４】
ベルベットファスナが平面方形であることを特徴とする請求項１ないし３のいずれか１項に記載の玩具。
【請求項５】
接合面に複数枚のベルベットファスナを不連続に配置したことを特徴とする請求項１ないし４のいずれか１項に記載の玩具。
【考案の詳細な説明】
【技術分野】
【０００１】
本考案は玩具、特に、幼児のままごと遊びに使用される玩具に関する。
【背景技術】
【０００２】
従来、ままごと遊びに使用される玩具としては、例えば、ベルベットファスナを利用した野菜玩具がある（特許文献１）。
具体的には、複数の単体が接合されて野菜全体を構成する野菜玩具において、前記単体の各接合面には凹所が形成され、前記各凹所には隣接する単体同士を互いに接合、分離させる手段であるベルベットファスナが設けられ、かつ、前記単体同士は接合面を当接させた状態で接合されてなることを特徴とする野菜玩具である。
【特許文献１】実開昭５９−７６２９８号公報
【考案の開示】
【考案が解決しようとする課題】
【０００３】
しかしながら、前述の野菜玩具では、前記凹所の底面にベルベットファスナを設けることが開示されているにすぎない。このため、単体同士に接合，分離操作を何回も繰り返すと、前記ベルベットファスナ自体が前記単体から剥離しやすいという問題点がある。
【０００４】
本考案は、前記問題点に鑑み、ベルベットファスナが剥離しにくく、耐久性に優れた玩具を提供することを課題とする。
【課題を解決するための手段および考案の効果】
【０００５】
本考案にかかる玩具は、前記課題を解決すべく、複数個の分割体の接合面にベルベットファスナをそれぞれ設けて分離可能に接合一体化する玩具であって、前記分割体が、外郭体と、前記外郭体の開口部に嵌合一体化して被覆する接合体とからなり、前記外郭体の内周面から突出する支持部の先端に受け部を設けるとともに、前記受け部の表面に前記ベルベットファスナを設け、前記外郭体に嵌合一体化した接合体の貫通孔の周辺縁部と前記受け部とで前記ベルベットファスナの外周縁部を挟持した構成としてある。
また、本考案にかかる玩具は、第１，第２分割体の接合面にベルベットファスナをそれぞれ設けて分離可能に接合一体化する玩具であって、前記第１，第２分割体それぞれが、外郭体と、前記外郭体の開口部に嵌合一体化して被覆する接合体とからなり、前記外郭体の内周面から突出する支持部の先端に受け部を設けるとともに、前記受け部の表面に前記ベルベットファスナを設け、前記外郭体に嵌合一体化した接合体の貫通孔の周辺縁部と前記受け部とで前記ベルベットファスナの外周縁部を挟持した構成であってもよい。
【０００６】
本考案によれば、前記ベルベットファスナの外周縁部を、前記外郭体に嵌合一体化した接合体の貫通孔の周辺縁部と前記受け部とで挟持してあるので、前記ベルベットファスナが分割体から剥離しにくくなり、耐久性の高い玩具が得られる。
【０００７】
本考案にかかる実施形態としては、受け部を一体成形した支持部を、分割体を構成する外郭体の内周面に立設してもよい。
本実施形態によれば、支持部および受け部を外郭体と別々に成形し、後付けできるので、外郭体の成形が容易になるとともに、製造の自由度が高くなる
【０００８】
本考案にかかる他の実施形態としては、ベルベットファスナが平面方形であってもよい。
本実施形態によれば、適用できる分割体の形状が多くなり、特に、細長い方形のベルベットファスナを使用すれば、連続した操作感触を楽しめる。
【０００９】
本考案にかかる別の実施形態としては、接合面に複数枚のベルベットファスナを不連続に配置しておいてもよい。
本実施形態によれば、複雑な接合面を有する分割体にも適用でき、設計の自由度が広がるという効果がある。
【考案を実施するための最良の形態】
【００１０】
本考案にかかる実施形態を図１ないし図１０の添付図面に従って説明する。
第１実施形態は、図１および図２に示すように、玉葱おもちゃに適用した場合である。
すなわち、本実施形態にかかる玉葱おもちゃは左右一対の第１，第２分割体１０，２０からなり、前記第１，第２分割体１０，２０は左右対称な形状を有している。そして、前記第１分割体１０は玉葱の外表面を模した外殻体１１と、玉葱の切断面を模し、かつ、前記外殻体１１の開口部に嵌合一体化して被覆する接合体１５とからなるものである。前記外殻体１１は内周面から開口部に向けて突設した筒状支持部１２の先端部に受け部１３を組み付けてあるとともに、前記受け部１３の表面にベルベットファスナ１４を貼着一体化してある。そして、前記外殻体１１の開口部に接合体１５を嵌合一体化することにより、前記外殻体１１の開口部が被覆されるとともに、前記接合体１５の貫通孔１６から前記ベルベットファスナ１４が露出する。このとき、前記ベルベットファスナ１４の外周縁部が前記受け部１３と前記接合体１５の貫通孔１６の周辺縁部とで挟持一体化されている。
【００１１】
前記第２分割体２０も同様に、玉葱の外表面を模した外殻体２１と、玉葱の切断面を模し、かつ、前記外殻体２１の開口部に嵌合一体化して被覆する接合体２５とからなるものである。前記外殻体２１は内周面から開口部に向けて突設した筒状支持部２２の先端部に受け部２３を組み付けてあるとともに、前記受け部２３の表面にベルベットファスナ２４を貼着一体化してある。そして、前記外殻体２１の開口部に接合体２５を嵌合一体化することにより、前記外殻体２１の開口部が被覆されるとともに、前記接合体２５の貫通孔２６から前記ベルベットファスナ２４が露出する。このとき、前記ベルベットファスナ２４の外周縁部が前記受け部２３と前記接合体２５の貫通孔２６の周辺縁部とで挟持一体化される。
【００１２】
このため、図２に示すように、第１，第２分割体１０，２０を接合することにより、前記ベルベットファスナ２４が相互に分離可能に接合一体化される。そして、図示しない包丁おもちゃを接合一体化した第１，第２分割体１０，２０の間に挿入することにより、第１，第２分割体１０，２０が分離されるとともに、「ザクッ」という音が発生し、玉葱を切る疑似体験を幼児でも楽しめる。
【００１３】
本実施形態によれば、第１，第２分割体１０，２０は軽量であるだけでなく、外殻体１１，２１の筒状支持部１２，２２で受け部１３，２３がそれぞれ支持されているので、ベルベットファスナ１４，２４の支持を強固にできるとともに、位置決め精度が高く、操作感触にバラツキが生じない。また、ベルベットファスナ１４，２４の外周縁部が前記受け部１３，２３と前記接合体１５，２５の貫通孔１６，２６の周辺縁部とでそれぞれ挟持一体化されているので、ベルベットファスナ１４，２４が剥離しにくく、耐久性が高いという利点がある。
【００１４】
第２実施形態は、図３および図４に示すように、茄子おもちゃに適用した場合である。
すなわち、本実施形態にかかる茄子おもちゃは左右一対の第１，第２分割体１０，２０からなり、前記第１，第２分割体１０，２０は左右対称な形状を有している。そして、前記第１分割体１０は茄子の外表面を模した外郭体１１と、茄子の切断面を模し、かつ、前記外殻体１１の開口部に嵌合一体化して被覆する接合１５体とからなるものである。前記外殻体１１は内周面から開口部に向けて突設した筒状支持部１２の先端部に受け部１３を組み付けてあるとともに、前記受け部１３の表面にベルベットファスナ１４を貼着一体化してある。そして、前記外殻体１１の開口部に接合体１５を嵌合一体化することにより、前記外殻体１１の開口部が被覆されるとともに、前記接合体１５の貫通孔１６から前記ベルベットファスナ１４が露出する。このとき、前記ベルベットファスナ１４の外周縁部が前記受け部１３と前記接合体１５の貫通孔１６の周辺縁部とで挟持一体化される。
一方、第２分割体２０は、前述の第１実施形態とほぼ同様であるので、同一部分に同一番号を附して説明を省略する。
【００１５】
第３実施形態は、図５および図６に示すように、苺おもちゃに適用した場合である。
すなわち、本実施形態にかかる苺おもちゃは同一形状を有する第１，第２分割体１０，２０からなる。そして、前記第１，第２分割体１０，２０は、前述の第１実施形態と同様、外郭体１１，２１および接合体１５，２５でそれぞれ構成されている。他は前述の実施形態と同様であるので、同一部分に同一番号を附して説明を省略する。
【００１６】
第４実施形態は、図７および図８に示すように、蜜柑おもちゃに適用した場合である。
本実施形態にかかる蜜柑おもちゃは、上下に分割可能な一対の第１，第２分割体１０，２０からなる。前記第１分割体１０は蜜柑の上半分の外表面を模した外郭体１１と、蜜柑の切断面を模し、かつ、前記外殻体１１の開口部に嵌合一体化して被覆する接合体１５とからなるものである。前記外殻体１１は内周面から開口部に向けて突設した筒状支持部１２の先端部に受け部１３を組み付けてあるとともに、前記受け部１３の表面にベルベットファスナ１４を貼着一体化してある。そして、前記外殻体１１の開口部に接合体１５を嵌合一体化することにより、前記外殻体１１の開口部が被覆されるとともに、前記接合体１５の貫通孔１６から前記ベルベットファスナ１４が露出する。このとき、前記ベルベットファスナ１４の外周縁部が前記受け部１３と前記接合体１５の貫通孔１６の周辺縁部とで挟持一体化される。
【００１７】
一方、前記第２分割体２０は蜜柑の下半分の外表面を模した外郭体２１と、前記外郭体２１の開口部を被覆して一体化する接合体２５とからなるものである。前記外殻体２１は内周面から開口部に向けて突設した筒状支持部２２の先端部に受け部２３を組み付けてあるとともに、前記受け部２３の表面にベルベットファスナ２４を貼着一体化してある。そして、前記外殻体２１の開口部に接合体２５を嵌合一体化することにより、前記外殻体２１の開口部が被覆されるとともに、前記ベルベットファスナ２４の外周縁部が前記受け部２３と接合体２５の貫通孔２６の周辺縁部とで挟持一体化される。
【００１８】
このため、図８に示すように、第１，第２分割体１０，２０を接合することにより、前記ベルベットファスナ２４が相互に分離可能に接合一体化される。そして、図示しない包丁おもちゃを接合一体化した第１，第２分割体１０，２０の間に挿入することにより、第１，第２分割体１０，２０が分離され、幼児でも蜜柑を切る疑似体験を楽しめる。
【００１９】
第５実施形態は、図９および図１０に示すように、分割可能な第１，第２分割体１０，２０からなる魚おもちゃに適用した場合である。前記第１分割体１０は、一部を切り取った魚胴部の外表面を模した外郭体１１と、切り取られた切断面を模し、かつ、前記外殻体１１の開口部に嵌合一体化して被覆する接合体１５とからなるものである。前記外殻体１１は内周面から開口部に向けて突設した筒状支持部１２の先端部に受け部１３を組み付けてあるとともに、前記受け部１３の表面にベルベットファスナ１４を貼着一体化してある。そして、前記外殻体１１の開口部に前記接合体１５を嵌合一体化することにより、前記外殻体１１の開口部が被覆されるとともに、前記接合体１５の貫通孔１６から前記ベルベットファスナ１４が露出する。このとき、前記ベルベットファスナ１４の外周縁部が前記受け部１３と前記接合体１５の貫通孔１６の周辺縁部とで挟持一体化される。
【００２０】
一方、前記第２分割体２０は、魚おもちゃの胴部から切り取った切り身の外表面を模した外郭体２１と、前記切り身の内側の切断面を模し、かつ、前記外郭体の開口部を被覆して一体化する接合体２５とからなるものである。前記外殻体２１は内周面から開口部に向けて突設した筒状支持部２２の先端部に受け部２３を組み付けてあるとともに、前記受け部２３の表面にベルベットファスナ２４を貼着一体化してある。そして、前記外殻体２１の開口部に接合体２５を嵌合一体化することにより、前記外殻体２１の開口部が被覆されるとともに、前記ベルベットファスナ２４の外周縁部が前記受け部２３と接合体２５の貫通孔２６の周辺縁部とで挟持一体化される。
【００２１】
このため、図１０に示すように、第１，第２分割体１０，２０を接合することにより、前記ベルベットファスナ１４，２４を介して分離可能に接合一体化される。そして、図示しない包丁おもちゃを第１，第２分割体１０，２０の間に挿入することにより、幼児でも魚を料理する疑似体験を楽しめる。
【００２２】
本発明にかかる玩具は、前述の野菜、果物に限らず、例えば、大根、人参、白菜、胡瓜、レモンおもちゃなどの野菜、果物に適用してもよく、また、例えば、ウナギおもちゃなどの魚おもちゃに適用してもよい。また、本発明にかかる玩具は、２分割できるに限らず、３分割、４分割等に分割できる場合に適用してもよい。さらに、露出するベルベットファスナは円形に限らず、方形であってもよく、細長い短冊状であってもよい。そして、複数のベルベットファスナを接合体の同一接合面に不連続に配置してもよい。
【産業上の利用可能性】
【００２３】
本発明にかかる玩具は野菜おもちゃだけでなく、例えば、魚おもちゃにも適用できる。
【図面の簡単な説明】
【００２４】
【図１】図１Ａないし１Ｃは本発明にかかる第１実施形態の第１分割体の正面図、縦断面図、背面図であり、図１Ｄないし１Ｆは本発明にかかる第１実施形態の第２分割体の正面図、縦断面図、背面図である。
【図２】図１に示した第１実施形態にかかる第１，第２分割体を接合させた状態を示す断面図である。
【図３】図３Ａないし３Ｃは本発明にかかる第２実施形態の第１分割体の正面図、縦断面図、背面図であり、図３Ｄないし３Ｆは本発明にかかる第２実施形態の第２分割体の正面図、縦断面図、背面図である。
【図４】図３に示した第２実施形態にかかる第１，第２分割体を接合させた状態を示す断面図である。
【図５】図５Ａないし５Ｃは本発明にかかる第３実施形態の第１，第２分割体の正面図、縦断面図、背面図である。
【図６】図５に示した第３実施形態にかかる第１，第２分割体を接合させた状態を示す断面図である。
【図７】図７Ａないし７Ｃは本発明にかかる第４実施形態の第１分割体の平面図、縦断面図、底面図であり、図７Ｄないし７Ｆは本発明にかかる第４実施形態の第２分割体の平面図、縦断面図、底面図である。
【図８】図７に示した第４実施形態を接合させた状態を示す断面図である。
【図９】図９Ａないし９Ｃは本発明にかかる第５実施形態の第１分割体の正面図、縦断面図、背面図であり、図９Ｄないし９Ｆは本発明にかかる第５実施形態の第２分割体の正面図、縦断面図、背面図である。
【図１０】図１０Ａおよび１０Ｂは図９に示した第５実施形態にかかる第１，第２分割体を接合させた状態を示す正面図および断面図である。
【符号の説明】
【００２５】
１０：第１分割体
１１：外郭体
１２：筒状支持部
１３：受け部
１４：ベルベットファスナ
１５：接合体
１６：貫通孔
２０：第２分割体
２１：外郭体
２２：筒状支持部
２３：受け部
２４：ベルベットファスナ
２５：接合体
２６：貫通孔
【図１】
0003105696.tif 000003
【図２】
0003105696.tif 000004
【図３】
0003105696.tif 000005
【図４】
0003105696.tif 000006
【図５】
0003105696.tif 000007
【図６】
0003105696.tif 000008
【図７】
0003105696.tif 000009
【図８】
0003105696.tif 000010
【図９】
0003105696.tif 000011
【図１０】
0003105696.tif 000012